(57)【要約】【課題】中央監視装置の負荷を軽減する。【解決手段】コントローラ３は、あらかじめ設定された運転スケジュールデータに基づいて設備機器である電気錠１とカードリーダ２を制御する。中央監視装置５は、コントローラ３とコントローラ配下の設備機器を集中監視する。スケジュールサーバ４は、中央監視装置５で作成された運転スケジュールデータを受信し、この運転スケジュールデータをネットワーク６を介して各コントローラ３に設定する。【選択図】　　　　図１
2004046398.tif 000002
【特許請求の範囲】
【請求項１】
予め設定された運転スケジュールデータに基づいて設備機器を制御するコントローラと、前記コントローラとコントローラ配下の設備機器を集中監視する中央監視装置とを有する施設管理システムにおいて、
前記中央監視装置で作成された前記運転スケジュールデータを受信し、この運転スケジュールデータを通信回線を介して各コントローラに設定するスケジュールサーバを設けることを特徴とする施設管理システム。
【請求項２】
請求項１記載の施設管理システムにおいて、
前記コントローラは、前記スケジュールサーバから定期的に送信される前記運転スケジュールデータを所定時間以上受信できない場合、前記設定された運転スケジュールデータを初期値に書き換える手段を有することを特徴とする施設管理システム。
【請求項３】
請求項１記載の施設管理システムにおいて、
前記運転スケジュールデータは、施設内に出入りする個人の通行可能な時間帯を指定する時間指定情報とこの時間指定情報を特定するスケジュール番号とを対応付けたものであり、
前記設備機器は、施設内を通行する個人が所持するカードから管理番号を読み出すカードリーダと、施設内の扉に設けられた電気錠とからなり、
前記コントローラは、各カードに割り当てられた管理番号と前記スケジュール番号とを対応付けるカードデータを記憶する手段と、前記カードリーダで読み出された管理番号に対応するスケジュール番号を予め設定された前記カードデータから取得して、取得したスケジュール番号に対応する時間指定情報を前記設定された運転スケジュールデータの中から取得する手段と、前記取得した時間指定情報に基づいて前記カードを所持する個人の通行を許可するかどうかを判断して前記電気錠の開閉を制御する手段とを有することを特徴とする施設管理システム。
【発明の詳細な説明】
【０００１】
【発明の属する技術分野】
本発明は、例えばビルやプラント等の施設に設置された設備機器を管理する施設管理システムに関するものである。
【０００２】
【従来の技術】
従来、建物等の施設における設備機器は、空調機器、防犯機器、照明機器などによって構成されている。これらの設備機器の運転スケジュールは、それぞれの設備機器に接続されるコントローラ内のスケジュール設定により機器の運転／停止、通行時間帯スケジュール、照明のオン／オフ時間などが設定される。これらの運転スケジュールは、中央監視装置で作成され、各コントローラにダウンロードされる。
【０００３】
【発明が解決しようとする課題】
以上のように、従来の施設管理システムでは、中央監視装置が配下の全てのコントローラに運転スケジュールを設定するようにしていたので、中央監視装置とコントローラ間の通信負荷が増大し、中央監視装置のＣＰＵの負荷が大きくなるという問題点があった。また、このようなＣＰＵ負荷の増大により、中央監視装置において画面の表示更新や画面移行等の速度が遅くなり、操作面で影響が出てしまうという問題点があった。また、コントローラの追加があると中央監視装置のソフトウエアを変更し、新たな機能を追加しなければならず、手間とコストがかかっていた。また、機能追加のたびに２４時間監視制御すべき中央監視装置を停止しなければならず、運用面での問題になっていた。
本発明は、上記課題を解決するためになされたもので、中央監視装置の負荷を軽減することができる施設管理システムを提供することを目的とする。
【０００４】
【課題を解決するための手段】
本発明は、予め設定された運転スケジュールデータに基づいて設備機器を制御するコントローラと、前記コントローラとコントローラ配下の設備機器を集中監視する中央監視装置とを有する施設管理システムにおいて、前記中央監視装置で作成された前記運転スケジュールデータを受信し、この運転スケジュールデータを通信回線を介して各コントローラに設定するスケジュールサーバを設けたものである。
また、本発明の施設管理システムの１構成例において、前記コントローラは、前記スケジュールサーバから定期的に送信される前記運転スケジュールデータを所定時間以上受信できない場合、前記設定された運転スケジュールデータを初期値に書き換える手段を有するものである。
また、本発明の施設管理システムの１構成例において、前記運転スケジュールデータは、施設内に出入りする個人の通行可能な時間帯を指定する時間指定情報とこの時間指定情報を特定するスケジュール番号とを対応付けたものであり、前記設備機器は、施設内を通行する個人が所持するカードから管理番号を読み出すカードリーダと、施設内の扉に設けられた電気錠とからなり、前記コントローラは、各カードに割り当てられた管理番号と前記スケジュール番号とを対応付けるカードデータを記憶する手段と、前記カードリーダで読み出された管理番号に対応するスケジュール番号を予め設定された前記カードデータから取得して、取得したスケジュール番号に対応する時間指定情報を前記設定された運転スケジュールデータの中から取得する手段と、前記取得した時間指定情報に基づいて前記カードを所持する個人の通行を許可するかどうかを判断して前記電気錠の開閉を制御する手段とを有するものである。
【０００５】
【発明の実施の形態】
以下、本発明の実施の形態について図面を参照して詳細に説明する。図１は本発明の実施の形態となる施設管理システムの構成を示すブロック図である。本実施の形態では、施設管理システムの１例として、各個人の入退室を管理する入退室管理システムを例に挙げて説明する。図１の施設管理システムは、施設内の設備機器である電気錠１（１−１１，１−１２，１−１３，１−２１，１−２２，１−２３，１−３１，１−３２，１−３３・・・・）と、同設備機器であるカードリーダ２（２−１１，２−１２，２−１３，２−２１，２−２２，２−２３，２−３１，２−３２，２−３３・・・・）と、スケジュールデータに基づいて各設備機器の制御・管理を行うコントローラ３（３−１，３−２，３−３）と、スケジュールデータを各コントローラ３に設定するスケジュールサーバ４と、分散配置された設備機器及びコントローラ３を集中監視すると共に遠隔制御する中央監視装置５と、コントローラ３とスケジュールサーバ４と中央監視装置５とを接続する通信回線であるネットワーク６とから構成される。
【０００６】
電気錠１は、施設内の各部屋７（７−１１，７−１２，７−１３，７−２１，７−２２，７−２３，７−３１，７−３２，７−３３・・・・）の出入口に設けられた扉に設置される。カードリーダ２は、出入口付近に設置され、出入口に接近した個人が所持するカードから情報を読み出す。
【０００７】
以下、図１の施設管理システムの動作を説明する。図２は図１の施設管理システムの動作を示すフローチャート図である。まず、施設の管理者は、中央監視装置５のキーボードやマウスなどの入力手段を操作して、図３に示すようなカードデータＤ１を作成する。カードデータＤ１は、施設に出入りする各個人のカードに付与された固有の管理番号と、カードを所持する個人が入室可能な部屋番号を指定する入室許可指定情報と、カードを所持する個人が入室可能な時間帯を指定するカードスケジュールデータに付与された固有のスケジュール番号とを対応付けたものである。
【０００８】
例えば図３の例では、管理番号「０００００００１」のカードを所持する人は、施設内の全室に入室が可能であり、入室可能な時間帯はスケジュール番号「１」のカードスケジュールデータで指定されていることが分かる。同様に、管理番号「０００００００２」のカードを所持する人は、部屋７−１１のみ入室が可能であり、入室可能な時間帯はスケジュール番号「２」のカードスケジュールデータで指定されていることが分かる。
【０００９】
中央監視装置５は、管理者が作成したカードデータＤ１を図示しない内部の記憶装置に格納すると共に、このカードデータＤ１をネットワーク６を介して各コントローラ３に送信する（図２ステップ１０１）。各コントローラ３は、受信したカードデータＤ１を図示しない内部の記憶装置に格納する。
【００１０】
次に、管理者は、中央監視装置５のキーボードやマウスなどの入力手段を操作して、図４に示すようなカードスケジュールデータＤ２を作成する。カードスケジュールデータＤ２は、前記スケジュール番号と、入室可能あるいは入室不可能な日付と時間帯を指定する入室許可／不許可時間指定情報とを対応付けたものである。
【００１１】
本実施の形態では、１つのカードスケジュールデータＤ２により（すなわち、１つのスケジュール番号に対して）、入室許可／不許可時間指定情報を１日あたり８回まで設定できるようになっている。例えば、スケジュール番号「１」のカードスケジュールデータＤ２では、７時から入室を許可し、１２時から入室を不許可とし、１３時１５分から入室を許可し、１７時１０分から入室を不許可とし、１７時２５分から入室を許可し、２１時３０分から入室を不許可とすることが設定されている。なお、図４の入室許可／不許可時間指定情報の例では、入室可能あるいは入室不可能な時間帯のみを示し、日付については省略している。
【００１２】
図５、図６は中央監視装置５に表示されたスケジュール設定画面を示す図である。図５、図６において「ＯＮ」は入室許可、「ＯＦＦ」は入室不許可を示す。まず、カードスケジュールデータＤ２を作成するには、中央監視装置５に表示された図５のようなマスタースケジュール設定画面Ｐ１上で、マスタースケジュールを設定する。
【００１３】
実際に設定されるカードスケジュールデータＤ２は、毎週同じ内容になる場合がほとんどである。そこで、通常は、各曜日のカードスケジュールデータをマスタースケジュールとして作成しておく。図５の例において、例えば月曜日は９時から１７時の間が入室可能な時間帯であり、それ以外の時間での入室が不許可となっている。中央監視装置５は、例えば一週間先の各曜日のカードスケジュールデータＤ２をマスタースケジュールに従って作成する。これにより、管理者は、カードスケジュールデータＤ２を毎週作成する手間を省くことができる。
【００１４】
また、施設によっては例えば創立記念日や一斉早退日などの特別な日がある。このような特別な日については予め中央監視装置５のカレンダに、例えば７月２０日は休日、７月２４日は特殊１といったように予め設定しておき、それぞれ休日と特殊１についてマスタースケジュールを作成しておく。これにより、中央監視装置５は、７月２０日のカードスケジュールデータＤ２を休日のマスタースケジュールに従って作成し、７月２４日のカードスケジュールデータＤ２を特殊１のマスタースケジュールに従って作成する。
【００１５】
一方、マスタースケジュールと異なるスケジュールを急遽設定したい場合、管理者は、中央監視装置５に表示された図６（ａ）のような実行スケジュール設定画面Ｐ２上で、実行スケジュールを設定する。実行スケジュールの詳細な設定は、図６（ａ）の実行スケジュール設定画面Ｐ２上で所望の日付を選択すると、その日の詳細設定画面Ｐ３が図６（ｂ）のように表示される。管理者は、詳細設定画面Ｐ３上で、所望の時間を設定し、この設定した時間からの入室を許可するか（ＯＮ）、あるいは不許可とするか（ＯＦＦ）を設定する。図６（ｂ）の例は、図４のスケジュール番号「１」のカードスケジュールデータＤ２を設定したところを示している。
【００１６】
中央監視装置５は、前述のようにマスタースケジュールに従ってカードスケジュールデータＤ２を作成すると共に、特定の日付について実行スケジュールが設定されている場合には、この実行スケジュールに従ってカードスケジュールデータＤ２を作成する。そして、中央監視装置５は、作成したカードスケジュールデータＤ２を図示しない内部の記憶装置に格納すると共に、このカードスケジュールデータＤ２をネットワーク６を介してスケジュールサーバ４に送信する（ステップ１０２）。スケジュールサーバ４は、受信したカードスケジュールデータＤ２を図示しない内部の記憶装置に格納する。
【００１７】
次に、スケジュールサーバ４は、記憶している全てのカードスケジュールデータＤ２を一定時間（例えば１分）ごとにネットワーク６を介して各コントローラ３に一斉に送信する（ステップ１０３）。各コントローラ３は、受信したカードスケジュールデータＤ２を図示しない内部の記憶装置に格納する。
【００１８】
なお、カードスケジュールデータＤ２を一定時間ごとに各コントローラ３に送信するのは、中央監視装置５によるカードスケジュールデータＤ２の更新に対応して、中央監視装置５から送られた新しいカードスケジュールデータＤ２を各コントローラ３に送るためである。
【００１９】
各コントローラ３は、受信したカードデータＤ１とカードスケジュールデータＤ２に基づいて設備機器（電気錠１とカードリーダ２）を制御し、各個人の入退室を管理する（ステップ１０４）。図７はステップ１０４の詳細を示すフローチャート図である。
【００２０】
まず、カードリーダ２は、図８に示すように、所定の管理番号を記録したカード１０を所持する人が部屋７の出入口に接近した場合、このカード１０に記録されている情報を読み出してコントローラ３に送る。コントローラ３は、カードリーダ２からの情報を受信した場合（図７ステップ２０１においてＹＥＳ）、受信した情報と記憶しているカードデータＤ１及びカードスケジュールデータＤ２とを照合して、入室を許可するかどうかを判断する。
【００２１】
すなわち、コントローラ３は、カードリーダ２が送信した情報からカード１０の管理番号を取得して、この管理番号に対応する入室許可指定情報とスケジュール番号とをカードデータＤ１から取得する（ステップ２０２）。続いて、コントローラ３は、取得したスケジュール番号に対応する入室許可／不許可時間指定情報をカードスケジュールデータＤ２から取得する（ステップ２０３）。そして、コントローラ３は、取得した入室許可指定情報と入室許可／不許可時間指定情報に基づいて、カード１０を所持している人の入室を許可するかどうかを判断する（ステップ２０４）。
【００２２】
例えば、管理番号「０００００００４」のカード１０を所持する人は、カードデータＤ１により、部屋７−１１，７−１２，７−１３への入室が許される。ただし、スケジュール番号３のカードスケジュールデータＤ２により入室可能な時間帯は１２時から１７時の間となっている。
【００２３】
コントローラ３は、管理番号「０００００００４」のカード１０を検出したカードリーダ２の設置場所が部屋７−１１〜７−１３のいずれかの出入口で、カード１０の情報をカードリーダ２から受信した日付と時刻が入室許可／不許可時間指定情報で指定された入室可能な日付と入室可能な時間帯内であれば、入室可能な条件を満たしていると判断して、入室を許可する。
【００２４】
一方、コントローラ３は、カードリーダ２の設置場所が部屋７−１１〜７−１３のいずれでもない場合には、不許可とする。また、コントローラ３は、カード１０の情報をカードリーダ２から受信した日付が入室可能な日付でない場合、あるいはカード１０の情報をカードリーダ２から受信した時刻が入室可能な時間帯でない場合にも、不許可とする。
【００２５】
コントローラ３は、入室を許可する場合、カード１０を検出したカードリーダ２が設置されている部屋７の電気錠１に出入口の扉を解錠させる（ステップ２０５）。また、コントローラ３は、入室を許可しない場合、カードリーダ２の画面に「通行できません」と表示させ、カードリーダ２に「操作は無効です」というメッセージを音声出力させる（ステップ２０６）。
【００２６】
次に、ステップ２０１において判定ＮＯの場合、あるいはステップ２０５，２０６の処理が終了した場合、コントローラ３は、カードスケジュールデータＤ２の最新受信時刻から所定時間（例えば５分）が経過しているかどうかを判定する（ステップ２０７）。カードスケジュールデータＤ２の最新受信時刻から所定時間が経過していない場合には、ステップ２０１に戻る。
【００２７】
所定時間が経過しても次のカードスケジュールデータＤ２を受信できない場合（ステップ２０７においてＹＥＳ）、コントローラ３は、異常発生と判断し、記憶しているカードスケジュールデータＤ２の入室許可／不許可時間指定情報を初期値に書き換えて、バックアップモードに入る（ステップ２０８）。この初期値は、コントローラ３の記憶装置に格納されており、コントローラ３ごとに設定することが可能である。例えば、初期値を「ＯＮ」にしておけば、カードスケジュールデータＤ２の入室許可／不許可時間指定情報が全て「許可」に書き換えられる。
【００２８】
バックアップモードに入ったコントローラ３は、スケジュールサーバ４から新たなカードスケジュールデータＤ２を受信すると（ステップ２０９においてＹＥＳ）、記憶装置に格納されているカードスケジュールデータＤ２を受信した新たなデータに書き換えて（ステップ２１０）、ステップ２０１に戻り、通常の動作に復帰する。
【００２９】
以上のように、本実施の形態では、スケジュールサーバ４から各コントローラ３にカードスケジュールデータＤ２を設定するようにしたので、中央監視装置５の負荷を軽減することができる。また、コントローラ追加や機能追加などの変更の際には、スケジュールサーバ４を停止させて、スケジュールサーバ４の設定を変更すればよいので、中央監視装置５を停止させる必要がなくなる。
【００３０】
なお、コントローラ３、スケジュールサーバ４及び中央監視装置５の構成は、ＣＰＵ、記憶装置及びインタフェースを備えたコンピュータとこれらのハードウェア資源を制御するプログラムによって実現することができる。
【００３１】
本実施の形態では、施設管理システムの１例として入退室管理システムを例に挙げて説明したが、これに限るものではなく、他の施設管理システムに本発明を適用してもよいことは言うまでもない。また、カード１０は、記録された情報をカードリーダ２で読み出すことができるものであれば、接触式でも非接触式でもよい。
【００３２】
【発明の効果】
本発明によれば、中央監視装置で作成された運転スケジュールデータを通信回線を介して各コントローラに設定するスケジュールサーバを設けることにより、中央監視装置とコントローラ間の通信負荷を軽減することができ、結果として中央監視装置の負荷を軽減することができる。また、コントローラ追加や機能追加などの変更の際に、中央監視装置を停止させる必要がなくなる。
【００３３】
また、スケジュールサーバから定期的に送信される運転スケジュールデータを所定時間以上受信できない場合、設定された運転スケジュールデータを初期値に書き換える手段をコントローラに設けることにより、何らかの理由により運転スケジュールデータを受信できない場合は予め設定された初期値に基づいて設備機器を制御するので、運用に支障なく設備機器の運転制御を行うことができる。
【図面の簡単な説明】
【図１】本発明の実施の形態となる施設管理システムの構成を示すブロック図である。
【図２】図１の施設管理システムの動作を示すフローチャート図である。
【図３】本発明の実施の形態におけるカードデータの構造を示す図である。
【図４】本発明の実施の形態におけるカードスケジュールデータの構造を示す図である。
【図５】本発明の実施の形態におけるマスタースケジュール設定画面を示す図である。
【図６】本発明の実施の形態における実行スケジュール設定画面を示す図である。
【図７】コントローラによる設備機器の制御処理の詳細を示すフローチャート図である。
【図８】カードを所持する個人が部屋の出入口に接近する様子を示す図である。
【符号の説明】
１…電気錠、２…カードリーダ、３…コントローラ、４…スケジュールサーバ、５…中央監視装置、６…ネットワーク。
【図１】
2004046398.tif 000003
【図２】
2004046398.tif 000004
【図３】
2004046398.tif 000005
【図４】
2004046398.tif 000006
【図５】
2004046398.tif 000007
【図６】
2004046398.tif 000008
【図７】
2004046398.tif 000009
【図８】
2004046398.tif 000010